(57)【要約】【課題】操作フィーリングを高めるとともに簡単な構造で軽快なクリックアクション特性が得られ、省スペース化にも対応した押しボタンスイッチを提供することを目的とする。【解決手段】スイッチ本体内に接触機構部５を配備し、上下動自在に操作用プランジャ２を配設した押ボタンスイッチにおいて、スイッチ本体とプランジャ２間に弾性部材の各端部を間隔を空けて嵌合させ、プランジャ２の上下動に連動して弾性部材を回動させ、操作ストローク量が一定量を超えたとき、弾性部材の荷重が操作力を増加から減衰になるように配置し、操作部の押下力を開放すると復帰コイルバネ７の弾性復元力により復帰するように動作形成した物である．【選択図】      図１
2005026029.tif 000002
【特許請求の範囲】
【請求項１】
接触機構部を配備したスイッチ本体と上下動するプランジャと該プランジャを上方に復帰させるコイルバネから構成され、前記スイッチ本体の内側面と前記プランジャの側面に両端を回動自在に嵌合させて前記スイッチ本体側を第一嵌合部、前記プランジャ側を第二嵌合部とし、前記第一嵌合部の左右どちらかに間隔を設けて第二嵌合部を設けるとともに前記プランジャの上昇時には前記第一嵌合部の上方に前記第二嵌合部が位置し、前記プランジャの下降時には前記第一嵌合部の下方に前記第二嵌合部が位置して前記弾性部材を配設したことを特徴とする押ボタンスイッチ。
【請求項２】
前記弾性部材の両端を外方へ略直角に折曲したねじりコイルバネとしたことを特徴とする請求項１記載の押ボタンスイッチ。
【請求項３】
前記弾性部材の両端を外方へ略直角に折曲したＳ字状バネとしたことを特徴とする請求項１記載の押ボタンスイッチ。
【発明の詳細な説明】
【０００１】
【発明の属する技術分野】
本発明は、操作ボタンを上下動して電路の切換えを行う押しボタンスイッチに係り、弾性部材のたわみを巧みに利用した軽快なクリックアクションを備えた押ボタンスイッチに関する。
【０００２】
【従来の技術】
従来、図７に示すようにゴム部材をドーム状に形成したラバードーム１３と呼ばれるクリックアクション用の部品をスイッチ本体内に配設して、プランジャ９を押圧することにより、このラバードーム１３が急速に変形してクリックアクションを発生させる構造のものがあった。また、このラバードーム１３はドーム内に接点を配設して接触機構部を兼ね備えたものなどがあった。
【０００３】
【発明が解決しようとする課題】
しかしながら、上記のように構成されている押ボタンスイッチは、ラバードーム１３のスペースをスイッチ本体内に確保しなければならず、必然的にスイッチ本体が大きくなってしまい、軽薄短小化に対応するための問題となっていた。
また、耐久面からも繰り返し応力によるラバーの劣化からも耐久面で寿命が短い等の問題があった。
本発明は、上記問題点を解決し、機器の軽薄短小化に対応した構造が簡単で耐久性の優れた押ボタンスイッチを提供することを目的とする。
【０００４】
【課題を解決するための手段】
本発明は、上記目的を達成するために、接触機構部を配備したスイッチ本体と上下動するプランジャと該プランジャを上方に復帰させるコイルバネから構成され、スイッチ本体の内側面とプランジャの側面に両端を回動自在に嵌合させてスイッチ本体側を第一嵌合部、前記プランジャ側を第二嵌合部とし、第一嵌合部の左右どちらかに間隔を設けて第二嵌合部を設けるとともにプランジャの上昇時には第一嵌合部の上方に第二嵌合部が位置し、プランジャの下降時には第一嵌合部の下方に第二嵌合部が位置して弾性部材を配設したものである。
【０００５】
【発明の実施の形態】
本発明によれば、接触機構部を配備したスイッチ本体と上下動するプランジャと該プランジャを上方に復帰させるコイルバネから構成され、前記スイッチ本体の内側面と前記プランジャの側面に両端を回動自在に嵌合させて前記スイッチ本体側を第一嵌合部、前記プランジャ側を第二嵌合部とし、前記第一嵌合部の左右どちらかに間隔を設けて第二嵌合部を設けるとともに前記プランジャの上昇時には前記第一嵌合部の上方に前記第二嵌合部が位置し、前記プランジャの下降時には前記第一嵌合部の下方に前記第二嵌合部が位置して前記弾性部材を配設した構成としたので弾性部材がプランジャの上下動に連動してたわみ嵌合部の配設位置により、荷重の増減を巧みに利用した軽快なクリックアクションを創出することができる。
そして、弾性部材の両端を外方へ略直角に折曲したねじりコイルバネとし、上下動するプランジャの横ガタを低減して滑らかな操作感を維持することができる。
さらに、弾性部材の両端を外方へ略直角に折曲したＳ字状バネとして、クリックアクションを得るための配置スペースを小型に構成することができる。
【０００６】
【実施例】
以下、本発明の実施例について、図面を参照しながら詳細に説明する。
図１は本発明の押しボタンスイッチの第一実施例を表す要部断面図、図２はその側面断面図、図３はその操作時の押下状態を表す側面断面図である。
加えて、図４はその分解斜視図であり、図５は操作部に加えるたわみ量と荷重特性を示すグラフである。
【０００７】
これらの図において、ケース６の略中央部には上下方向に貫通穴６ａを配設した支柱６ｂを設けて該支柱６ｂの下方にはコの字状に形成した内壁面６ｇを設け、この内壁面６ｇに接触機構部５を密接させて立設配置する。
【０００８】
接触機構部５は縦方向に配置した可動バネ５ａと可動バネ５ａから立植した舌片部５ｂ、さらに可動接点５ｃと固定接点５ｄ及びそれぞれの接点と連続する端子５ｅを絶縁部材５ｆに組入れて構成したものである。
【０００９】
操作部であるボタン１の内側面に配設された凹部１ａに、プランジャ２の上方に形成した凸部２ｂと嵌着して一体となし、プランジャ２の略中央部に上下方向に貫通穴２ｆを形成して、前記ケース６の支柱６ｂを貫入させる。
一方、プランジャ２の横側には段部２ｃを配設し、この段部２ｃの縦方向に溝部２ｅを配設し、ケース６の内壁に設けた、上下に連なる突起６ｅと摺動させてプランジャ２のガタを著しく少なくし、極めて滑らかな上下動作が可能となる。
また、プランジャ２の下方に向けてボス２ｄを設けて復帰コイルバネ７を配設し、プランジャ２の側面には凹部２ｈを設け、この凹部２ｈの内壁面２ｉに弾性部材であるねじりコイルバネ４の腕部４ｄの先端に形成した折曲部４ｅを回動自在に組み合わせる第二嵌合部２ａとして孔を配設する。
【００１０】
スイッチ本体を構成するカバー３の上面には突起部３ａを配設し、その略中心部には上下方向に貫通穴３ｂを設けて、上下動するプランジャ２を、この貫通穴３ｂでも案内してプランジャ２の横ガタを極力少なくし、滑らかな上下動作を可能とする構成とし、下方に向けてはボス３ｃを配設してケース６の孔６ｃと組み合わせ、カバー３の横ガタを抑え、カバー３の下方に植設された舌下部３ｄと、この舌下部３ｄに穿設された角穴３ｅが形成されるとともに、この舌下部３ｄの内側面に第一嵌合部３ｆとしての孔を配設する。
【００１１】
弾性部材としてのねじりコイルバネ４を構成する腕部４ａ、４ｄの先端はカバー３とプランジャ２の嵌合部と安定した座を維持するため、ねじりコイルバネ４の巻き部４ｃの中心軸に沿って外方へ略直角に折曲形成している。
【００１２】
ケース６に接触機構部５と復帰コイルバネ７を組み入れた後、プランジャ２をカバー３に挿入し、カバー３の舌下部３ｄに設けた第一嵌合部３ｆにねじりコイルバネ４の一方の折曲部４ｂを組み合わせ、他方の折曲部４ｅをプランジャ２の第二嵌合部２ａに回動自在に組み合わせ、カバー３の舌下部３ｄに設けた角穴３ｅをケース６の凸部６ｄに掛止して本発明の押ボタンスイッチが完成する。
このように構成された本発明の押ボタンスイッチは、図５の荷重特性グラフに示される様に、ボタン１を操作してプランジャ２が降下すると、カバー３とプランジャ２の各嵌合部３ｆ、２ａに組みつけられたねじりコイルバネ４が弾性変倚し、プランジャ２に付勢する力は増加するも、ねじりコイルバネ４の一方の端部はカバー３に間隔を空けて嵌合しているため、プランジャ２の降下に連動してねじりコイルバネ４の巻き部４ｃが回動し、ねじりコイルバネ４の両端部の位置が再接近した後の荷重は、ねじりコイルバネ４のたわみ量の減衰とともに低下し、押ボタンスイッチの操作部にはねじりコイルバネ４の増減する荷重特性とたわみによる復帰コイルバネ７の荷重特性の合力によるクリック特性が得られる。
そして、押下力が開放されると復帰コイルバネ７の弾性復元力により復帰するように動作する。
【００１３】
図６は本発明の押ボタンスイッチの第二実施例を表す側面断面図である。
弾性部材としてＳ字状バネ８を用いた事例である。本実施例では前述の第一実施例に比べて弾性部材だけが異なり、他の構成は同一である。プランジャ２とカバー３の嵌合部に配設する弾性部材については、この他にも種々考えられ、これらの展開を本発明の範囲から除外する物ではない
【００１４】
【発明の効果】
以上、詳細に説明したように、本発明によれば、次のような効果を奏することができる。
（１）スイッチ本体の内側面とプランジャの側面に両端を回動自在に嵌合させてスイッチ本体側を第一嵌合部、プランジャ側を第二嵌合部とし、第一嵌合部の左右どちらかに間隔を設けて第二嵌合部を設けるとともにプランジャの上昇時には第一嵌合部の上方に第二嵌合部が位置し、プランジャの下降時には第一嵌合部の下方に第二嵌合部が位置して弾性部材を配設したので、極めて軽快なクリックアクションが得られる押ボタンスイッチを提供できる。
（２）スイッチ本体の内側面とプランジャの側面に両端を回動自在に嵌合させてスイッチ本体側を第一嵌合部、プランジャ側を第二嵌合部とし、第一嵌合部の左右どちらかに間隔を設けて第二嵌合部を設けるとともにプランジャの上昇時には第一嵌合部の上方に第二嵌合部が位置し、プランジャの下降時には第一嵌合部の下方に第二嵌合部が位置して弾性部材を配設したので、
クリックアクションを得るためのスペースを取らず、小型の押ボタンスイッチが得られることから機器の軽薄短小に適した押ボタンスイッチが提供できる。
（３）スイッチ本体の内側面とプランジャの側面に両端を回動自在に嵌合させてスイッチ本体側を第一嵌合部、プランジャ側を第二嵌合部とし、第一嵌合部の左右どちらかに間隔を設けて第二嵌合部を設けるとともにプランジャの上昇時には第一嵌合部の上方に第二嵌合部が位置し、プランジャの下降時には第一嵌合部の下方に第二嵌合部が位置して弾性部材を配設する構造から、
この弾性部材を交換するだけで、ユーザの要求に応じた操作感を有する押ボタンスイッチを提供できる。
（４）スイッチ本体の内側面とプランジャの側面に弾性部材を配設してクリックアクションを得られる構造としたので、この弾性部材の有無によりクリックアクションの有無の押ボタンスイッチが容易に提供することができる。
【図面の簡単な説明】
【図１】本発明の押しボタンスイッチの第一実施例を表す要部断面図である。
【図２】本発明の押しボタンスイッチの第一実施例を表す側面断面図である。
【図３】本発明の押しボタンスイッチの第一実施例の押下状態を表す側面断面図である。
【図４】本発明の押しボタンスイッチの第一実施例を表す分解斜視図である。
【図５】本発明の押しボタンスイッチの第一実施例によるねじりコイルバネと復帰コイルバネのたわみに対する合計の荷重特性を表すグラフである。
【図６】本発明の押しボタンスイッチの第二実施例を表す側面断面図である。
【図７】従来の押しボタンスイッチの事例を表す断面図である。
【符号の説明】
１    ボタン
１ａ、２ｈ  凹部
２、９  プランジャ
２ａ  第二嵌合部
２ｂ、６ｄ  凸部
２ｃ  段部
２ｄ、３ｃ、６ｆ  ボス
２ｅ  溝部
２ｆ、３ｂ、６ａ  貫通孔
２ｇ  垂下部
２ｉ、６ｇ  内壁面
３、１０  カバー
３ａ  突起部
３ｄ  舌下部
３ｅ  角穴
３ｆ  第一嵌合部
４    ねじりコイルバネ
４ａ、４ｄ  腕部
４ｂ、４ｅ  折曲部
４ｃ  巻き部
５、１１  接触機構部
５ａ  可動バネ
５ｂ  舌片部
５ｃ  可動接点
５ｄ  固定接点
５ｅ  端子
５ｆ  絶縁部材
６、１２  ケース
６ｂ  支柱
６ｃ  孔
６ｅ  突起
７    復帰コイルバネ
８    Ｓ字状バネ
１３  ラバードーム
【図１】
2005026029.tif 000003
【図２】
2005026029.tif 000004
【図３】
2005026029.tif 000005
【図４】
2005026029.tif 000006
【図５】
2005026029.tif 000007
【図６】
2005026029.tif 000008
【図７】
2005026029.tif 000009